(57)【要約】【課題】  Ｔ字型又は毛の山型を改良し、医学的、解剖学的、人間工学的、数的事実が判明し、毛の山型を曲率半径１５ｍｍ（±１．５ｍｍ）に形成し、この事実を、ここに証明し、実際に使用出来るヘッドの横向き歯ブラシを開発する。【解決手段】歯ブラシの柄部とヘッドとが略Ｔ字状に形成され、かつ、ヘッドの毛の上面が、弧状にカットされてなる横向き歯ブラシにおいて、ヘッド２における毛３の上面３ａ形状を、柄部１の軸芯Ｘと、ヘッドの下面２ａとの交点、あるいは、柄部の軸芯とヘッドの下面から毛側に進む任意の平行線との交点Ｙを中心として約１５ｍｍの曲率半径に、カットし、かつ、毛の上面全体を、柄部側に向けて傾斜した円弧状の上面に形成したことを特徴とするヘッドの横向き歯ブラシ。【選択図】        図４
2005034393.tif 000002
【特許請求の範囲】
【請求項１】
歯ブラシの柄部とヘッドとが略Ｔ字状に形成され、かつ、ヘッドの毛の上面が、弧状にカットされてなる横向き歯ブラシにおいて、ヘッド（２）における毛（３）の上面（３ａ）形状を、柄部（１）の軸芯（Ｘ）と、ヘッド（２）の下面（２ａ）との交点、あるいは、柄部（１）の軸芯（Ｘ）とヘッド（２）の下面（２ａ）から毛（３）側に進む任意の平行線との交点（Ｙ）を中心として約１５ｍｍの曲率半径に、カットし、かつ、毛（３）の上面（３ａ）全体を、柄部（１）側に向けて傾斜した円弧状の上面（３ａ）に形成したことを特徴とするヘッドの横向き歯ブラシ。
【請求項２】
歯ブラシの柄部とヘッドとが略Ｔ字状に形成され、かつ、ヘッドの毛の上面が、柄部の軸芯を中心として弧状にカットされてなる横向き歯ブラシにおいて、ヘッド（２）の横幅（Ｃ）を、２０ｍｍ前後にしたことを特徴とするヘッドの横向き歯ブラシ。
【請求項３】
歯ブラシの柄部とヘッドとが略Ｔ字状に形成され、かつ、ヘッドの毛の上面が、柄部の軸芯を中心として弧状にカットされてなる横向き歯ブラシにおいて、ヘッド（２′）における毛（３′）の横幅（Ｃ）を、２０ｍｍ前後にし、かつ、弧状にカットされた毛（３′）の首径部（Ｅ′）側を、該弧状の曲率半径と同心円の小さな曲率半径の円弧（Ｂ）にし、前記毛（３′）の適宜な幅寸法位置（Ｐ）より、前記円弧（Ｂ）に向けて、毛（３′）の上面（３ａ）を緩やかにカットしたことを特徴とするヘッドの横向き歯ブラシ。
【請求項４】
歯ブラシの柄部とヘッドとが略Ｔ字状に形成され、かつ、ヘッドの毛の上面が、弧状にカットされてなる横向き歯ブラシにおいて、ヘッド（２）を含む柄部（１）の全長に対して、柄部（１）の末端から約半分程度までを、断面形状を略半円状の握り部（Ｄ）に形成し、かつ、柄部（１）のヘッド（２）の先端から適宜な長さを、適宜な径を有する円柱状として首径部（Ｅ）とし、該首径部（Ｅ）と前記柄部（１）とのゆるやかな曲線の傾斜部（Ｆ）を適宜に設け、かつ、前記首径部（Ｅ）であってヘッド（２）の手前に凹部（Ｇ）を形成したことを特徴とするヘッドの横向き歯ブラシ。
【発明の詳細な説明】
【技術分野】
【０００１】
この発明は、ヘッドの横向き歯ブラシの改良に関するものである。
【背景技術】
【０００２】
近年、歯は、人体のうち、口腔部はもとより消化器系だけでなく、人体のすべてにとって、重大な影響を与えるものであり、歯の大切さが認識されて来ており、そのため、歯を磨いたり、マッサージをする歯ブラシは、種々の歯ブラシが市販されている。
【０００３】
そして、一般的に公知の直線形状型歯ブラシは、歯面上に付着した食べ滓や歯間部に取り残しが多く見られる。そのため下顎前歯下部の歯石の沈着が多く見られる。又、その磨き方のテクニックにも様々な方法があり、歯科医師の中でも磨き方を指導する上で、混乱が生じているのが現状である。
【０００４】
ヘッドと柄と毛が一直線に配列されているため、に上下顎、最後臼歯の遠心部周辺は非常に磨き難い。従って歯石や食べ滓を充分に取り除くためには熟練と技術が必要とされ、上達するまでにはかなりの時間がかかるという欠点もある。
【０００５】
また、従来の直線状型の歯ブラシは、使用する際、手首を捩じったり、肘を上げたり等の多くの動作を必要とし、大人でもその手法は難しく、子供や高齢者、身体不自由者等には大変難しく簡単にマスター出来るものではなかった。
【０００６】
この一般的に公知の直線形状型歯ブラシは、全部の歯の面を１００％清潔にする・清掃する・汚れを取り除くには、人間工学的にも歯磨き時の姿勢が崩れやすく、子供や高齢者、身体不自由者等に至っては大変難しいものであり、磨いても磨けないのが現状である。そのため、磨きやすくする歯ブラシとして、その形状を柄部とヘッド部とが略Ｔ字状に形成された歯ブラシが存在する。（例えば、特許文献１参照、特許文献２を参照）
【特許文献１】実願２０００−７８０４号公報（全頁）
【０００７】
しかし、この特許文献１に示す考案は、Ｔ字型であり、植毛部がアーチ形状となっており、前歯部の裏側を磨くことができると主張しているが、柄に対して４５度〜９０度にひねってあるため、毛束は歯面の一部分しか接触することができず、効果的に刷掃できるものではない。また、アーチ状の最大の特徴である毛束が歯面にスクエアーに当るはずであるが、極、一部しか当たっておらず、刷掃効果は望めないものであった。
【発明の開示】
【発明が解決しようとする課題】
【０００８】
そこで、この発明は、  Ｔ字型又は毛の山型が過去、特許、実用新案、意匠等で出願・登録されているが、何故それらが何十年も具現化されず絵に書いた餅になっているのか。その理由に発明者・考案者らの主張には医学的、解剖学的、人間工学的、数的根拠が往々にして欠如していることが上げられる。それ故、制作にまで至ることができないのである。本願発明者は歯科医師の立場から実験した結果、様々な医学的、解剖学的、人間工学的、数的事実が判明し、毛の山型を曲率半径１５ｍｍ（±１．５ｍｍ）に形成することにし、この事実を、ここに証明し、実際に使用出来るＴ字型歯ブラシ，即ち、ヘッドの横向き歯ブラシを開発・提供するものである。
【０００９】
そして、さらに、ブラッシングした際、歯頚部付近の汚れがよく除去でき、かつ歯肉にも優しく、又、舌下腺があるため、口腔内で最も歯石の付きやすい下顎前歯部、舌側に歯石を付着させず、かつ、歯面部に付着した食べ滓や歯間部の取り残し等、全ての歯の刷掃が、誰でも簡単に出来る横向き歯ブラシと、歯ブラシの柄部を握り易い、丸型で太めの柄とし、ブラッシング時に必要な強・弱の力をしっかりと先端部に伝えることのできるヘッドの横向き歯ブラシを開発・提供することにある。
【課題を解決するための手段】
【００１０】
そこで、この発明は、従来のＴ字型の歯ブラシであって、毛の上面が円弧状にカットされた歯ブラシをさらに、下顎犬歯間の幅径や、口の大きさ、歯列弓直径を計測して工夫・改良することにより、歯頚部付近の歯滓の付着を防ぎ、歯石の沈着を防止し、且つ、歯面上及び歯間部に付着した食べ滓や歯垢の取り残し等、全ての歯の清掃が誰にでも簡単に出来、歯ブラシの柄部を握り易い、丸型で太めの柄とし、ブラッシング時に必要な強・弱の力をしっかりと先端部に伝えることのできる形状の柄を形成したヘッドの横向き歯ブラシである。
【発明の効果】
【００１１】
この発明によると、歯ブラシの柄部（１）とヘッド部（２）とが略Ｔ字状に形成され、かつ、ヘッド部（２）の毛（３）の上面（３ａ）が、弧状にカットされてなる横向き歯ブラシにおいて、ヘッド部（２）の毛（３ａ）の上面（３ａ）が、柄部（１）の軸芯（Ｘ）とヘッド部（２）の上面（２ａ）との交点（Ｙ）を芯として約１５ｍｍの半径上に、カットし、かつ、毛（３）の長さを、先端側を約１１ｍｍ、柄部（１）側を１ｍｍ少なく、毛（３）の上面（３ａ）全体を、傾斜した円弧状の上面（３ａ）に形成することにより、毛が歯面に強く当たり過ぎることがなく、歯面歯肉を傷めることなく、刷掃効果が上がり、歯ブラシの機能はより一層効率的となり、特に前歯部の裏面の刷掃効率が上がり、小児からハンディーキャッパーまで幅広い層の人の刷掃は楽に行える効果を有する。（図４参照）
また、ヘッド（２）の横幅（Ｃ）を２０ｍｍ前後にしたことにより、横磨きした時に、上下の歯牙を一度に磨ける効果を奏する。このことは、日本人における臼歯部の歯冠長の長さは、上下平均して１１．８ｍｍ〜９．００ｍｍであり、横磨きの時は口を閉じて行うものであり、上下の歯冠部は重なりあい、その距離はより短くなるからである。〔図１３（Ａ）、（Ｂ）を参照〕
縦磨きをする時、下口唇が邪魔となるため、ヘッド（２）の手前を、深さ１〜１．５ｍｍ削って、凹部（Ｇ）を形成することにより、該凹部（Ｇ）に下口唇が位置するよう下口唇が邪魔とならないようにして刷掃効率を高める等極めて有益なる効果を奏するものである。
【００１２】
また、柄部（１）を太くすることにより、毛先から柄部の湾曲移行部までに空間が生じ、前歯の縦磨きに際して口唇及びオトガイド部が干渉しないため、歯ブラシの動きが軽快になり、また、握持する握力も軽くなるので、均一な力で全歯面が軽快な動きとなる。つまり、運動が楽になるという効果を奏するものである。（図１１参照）
【発明を実施するための最良の形態】
【００１３】
この発明のうち、請求項１に記載した発明の一実施例を図１〜３に従って説明すると、歯ブラシの柄部とヘッドとが略Ｔ字状に形成され、かつ、ヘッドの毛の上面が、弧状にカットされてなる横向き歯ブラシにおいて、ヘッド（２）における毛（３）の上面（３ａ）形状を、柄部（１）の軸芯（Ｘ）と、ヘッド（２）の下面（２ａ）との交点、あるいは、柄部（１）の軸芯（Ｘ）とヘッド（２）の下面（２ａ）から毛（３）側に進む任意の平行線との交点（Ｙ）を中心として約１５ｍｍの曲率半径に、カットし、かつ、毛（３）の上面（３ａ）全体を、柄部（１）側に向けて傾斜した円弧状の上面（３ａ）に形成したことを特徴とするヘッドの横向き歯ブラシから構成されるものである。（図４参照）
日本人成人の正常咬合の場合、図７に示すように、下顎犬歯間の幅径の基準値として以下の数値が発表されている。
男＝２８．３ｍｍ  ２８．８ｍｍ
女＝２７．０ｍｍ  ２８．０ｍｍ
（桑原洋助氏  日矯歯誌  １９９３年「現代日本人成人正常咬合者の頭部Ｘ線規格写真および模型計測による基準値について」）
以上の結果からヘッドはそれ以下にすればよい。
【００１４】
本件特許出願人（発明者）は、歯科医であるが、その患者６０名の数値を調査したところ、以下の数値が最も使用に適していることが判明した。  大きな口の人：横２１ｍｍ（±２．１ｍｍ）縦１０ｍｍ（±１ｍｍ）
小さな口の人：横１８ｍｍ（±１．８ｍｍ）縦１０ｍｍ（±１ｍｍ）
従って、ヘッド（２）の横幅（Ｃ）を約２０ｍｍ前後にしたものである。
【００１５】
また、歯ブラシのヘッド（２）の形状は、長方形で各角部を丸くしたものや、両端部をそれぞれ、円弧状に形成したものであってもよい。そして、上記の大きさは正常咬合の日本人男性を対象としてものであり、日本人と体系の異なる人種に対しては、人種ごとの下顎犬歯間径の基準値に基づき歯ブラシの長さを変えることが望ましい。
【００１６】
さらに、歯列弓直径は、前記桑原洋助氏の計測によると、
男＝３３ｍｍ（±３ｍｍ）
女＝３２ｍｍ（±３ｍｍ）
と発表されている。そこで、本発明の発明者の医院に来院する患者６０名による実験の結果、図８に示すように、
曲率半径Ｒ＝１５ｍｍ（±１．５ｍｍ）
の円が最も使用に適した円弧であることが判明した。
【００１７】
以上の結果から毛（３）の上面（３ａ）は、図４に示すように、これに基づいて決定した。
【００１８】
さらに、下顎前歯舌側及び上顎前歯口蓋部の内斜面部から歯肉部に移行する部分は、図９に示すように、上顎左１２３、上顎右１２３、そして、下顎左１２３、下顎右１２３で浅い船底状を呈している。ここはＴ字型歯ブラシの刷掃時において毛（３）の首径部に最も近い毛（ブリッスル）が常時接触することになる。そこでこの毛先を丸みを帯びた角度を付与してやることで、歯や歯肉を痛めにくく、且つ、歯垢を効果的に取り除くことが可能となる。この角度は横幅２１ｍｍのものから１８ｍｍの双方に共通する角度となる。
【００１９】
次に、この発明のうち、請求項２に記載した発明の一実施例を図１に基づいて説明すると、歯ブラシの柄部とヘッドとが略Ｔ字状に形成され、かつ、ヘッドの毛の上面が、柄部の軸芯（Ｘ）を中心として弧状にカットされてなる横向き歯ブラシにおいて、ヘッド（２）の横幅（Ｃ）を約２０ｍｍ前後にしたことを特徴とするヘッドの横向き歯ブラシから構成されるものである。
【００２０】
そして、この発明のうち、請求項３に記載した発明の一実施例を図５（ａ）（ｂ）に基づいて説明すると、歯ブラシの柄部とヘッドとが略Ｔ字状に形成され、かつ、ヘッドの毛の上面が、柄部の軸芯を中心として弧状にカットされてなる横向き歯ブラシにおいて、ヘッド（２′）における毛（３′）の横幅（Ｃ）を、２０ｍｍ前後にし、かつ、弧状にカットされた毛（３′）の首径部（Ｅ′）側を、該弧状の曲率半径と同心円の小さな曲率半径の円弧（Ｂ）にし、前記毛（３′）の適宜な幅寸法位置（Ｐ）より、前記円弧（Ｂ）に向けて、毛（３′）の上面（３ａ′）を緩やかにカットしたことを特徴とするヘッドの横向き歯ブラシから構成される。
【００２１】
尚、前述の毛（３′）の上面（３ａ′）を緩やかにカットした状態を図６に示した拡大図で説明すると、毛（３′）の第３ブリッスル（Ｈ）より第４ブリッスル（Ｉ）にかけてゆるやかな角度（円状曲面でもよい）（Ｊ線）でカットされるものであり、第３ブリッスル（Ｈ）中央、若しくは中央より近位の任意の点を起点（Ｋ）としてαの角度が２０°程度である。
【００２２】
さらに、この発明のうち、請求項４に記載した発明の一実施例を図１〜４に従って説明すると、歯ブラシの柄部とヘッドとが略Ｔ字状に形成され、かつ、ヘッドの毛の上面が、弧状にカットされてなる横向き歯ブラシにおいて、ヘッド（２）を含む柄部（１）の全長に対して、柄部（１）の末端から半分程度までを、一辺が約１５ｍｍの角柱であって、該柱の上部の両角部を約４ｍｍのアールで、下部の両角部を約７ｍｍのアールでそれぞれ面取りした握り部（Ｄ）に形成し、かつ、柄部（１）のヘッド（２）の先端から約５５ｍｍを直径約６ｍｍの円柱状として首径部（Ｅ）とし、該首径部（Ｅ）と前記柄部（１）とのゆるやかな曲線の傾斜部（Ｆ）を設け、かつ、前記首径部（Ｅ）であってヘッド（２）の手前を、深さ１〜１．５ｍｍの凹部（Ｇ）を形成したことを特徴とするヘッドの横向き歯ブラシから構成されるものである。
【００２３】
さらに、図１０に示すように、鼻下点からオトガイ部までの長さは、日本人で約６０ｍｍであるから（男５７ｍｍ、女５５ｍｍ）、口唇及びオトガイ部が干渉しない距離は、図のようにヘッドの先から柄の湾曲部まで７０ｍｍあれば充分である。
【００２４】
そのため、図１１に示すように、６０ｍｍの長さがあれば、縦磨きの際、柄部（１）に空間が形成され、握り部（Ｄ）がオトガイ部に当たることなく、さらに、縦磨きの際に、上下移動するクリアランスを２０ｍｍ設け、８０ｍｍとしたものである。
【００２５】
このように、ヘッド（２）の横幅（Ｃ）を１５ｍｍ〜２５ｍｍ程度、好ましくは、２０ｍｍとすることにより、図１２に示すように横磨きした時に、上下の歯牙を一度に磨ける効果を奏するからである。このことは、日本人における臼歯部の歯冠長の長さは、図１３に示すように、上下平均して１１．８ｍｍ〜９．００ｍｍであり、横磨きの時は口を閉じて行うものであり、上下の歯冠部は重なり合い、その距離はより短くなるからであり、約２０ｍｍとしたものである。
【００２６】
尚、柄部（１）の全長に対して、柄部（１）の末端から半分程度までを、図３（ｂ）に示すように、一辺が１５ｍｍ程度の角柱であって、該柱の上部の両角部を４ｍｍ程度のアールで、下部の両角部を７ｍｍ程度のアールでそれぞれ面取りした握り部（Ｄ）に形成することにより、前歯の縦磨きに際して口唇及びオトガイド部が干渉しないため、歯ブラシの動きが軽快になり、また、握持する握力も軽くなるので、均一な力で全歯面が軽快な動きとなる。つまり、運動が楽になるという利点は、多大である。
【００２７】
さらに、柄部（１）の断面形状は、図３（Ｂ）に示すように、略半円形状となり、ベースグリップ（ベースボールのバットを握る状態の意）、又はパームグリップ（ゴルフシャフトを挟んで握る状態の意）方式で握ることが可能であり、柄部（１）の中心を軸にして左右方向に半回転させるだけでテクニックを要さない。従来の直線歯ブラシでは刷掃不可能な部分までブラッシングが可能となり、口腔内の健康維持の観点上、考慮したものである。
【００２８】
そして、該握り部（Ｄ）と首径部（Ｅ）との間に、２４°（±）のゆるやかな傾斜部（Ｆ）を設けたことにより、五本の指で握り部（Ｄ）を握っても、握りやすく、また、中指、薬指、小指で握り部（Ｄ）を握り、親指と人指し指とで傾斜部（Ｆ）を挟むよう握っても握りやすく構成したものである。
【００２９】
そもそも、人間の手は、丸いものを持つ機能が備わっている。しかし、現存の歯ブラシの柄は、殆どと言って良いくらい、平べったい柄となっており、この柄を握る時に手の中に空間が生じ密着していない。これは明らかに自然の法則に反しており、これでは充分な力をブラシの先に伝えることが出来なかった。そのため柄の部分を太くしたのである。
【産業上の利用可能性】
【００３０】
この発明は、従来のＴ字型の歯ブラシで、かつ、毛を弧状にカットした歯ブラシの改良であり、ブラッシングした際、歯頚部付近の汚れがよく除去でき、かつ歯肉にも優しく、又、舌下腺があるため、口腔内で最も歯石の付きやすい下顎前歯部、舌側に歯石を付着させず、かつ、歯面部に付着した食べ滓や歯間部の取り残し等、全ての歯の刷掃が、誰でも簡単に出来る横向き歯ブラシと、歯ブラシの柄部を握り易い、丸型で太めの柄とし、ブラッシング時に必要な強・弱の力をしっかりと先端部に伝えることのできるヘッドの横向き歯ブラシであって、以上の数値形態を入れることで量産が可能である点により、産業上の利用可能性を有する。
【図面の簡単な説明】
【００３１】
【図１】この発明の一実施例を示す横向きブラシの正面図である。
【図２】この発明の一実施例を示す横向きブラシの側面図である。
【図３】この発明の一実施例を示す横向きブラシであり、（Ａ）は、図１中ａ−ａ断面図、（Ｂ）は、図１  中ｂ−ｂ断面図、（Ｃ）は、図１中ｃ−ｃ断面図である。
【図４】この発明の一実施例を示し、（Ａ）は、横向きブラシのヘッドの拡大平面図であり、（Ｂ）は、横向きブラシのヘッドの拡大平面図であり、（Ｃ）は、横向きブラシのヘッドの一部欠截拡大平面図であり、（Ｄ）は、横向きブラシのヘッドの一部欠截拡大側面図である。
【図５】この発明の他の実施例を示す横向きブラシであって、（ａ）は一部欠截斜視図、（ｂ）は断面図である。
【図６】この発明のさらに他の実施例を示す一部欠截要部拡大図である。
【図７】この発明の一実施例を示す横向きブラシの技術内容を説明する説明図である。
【図８】この発明の一実施例を示す横向きブラシの技術内容を説明する説明図である。
【図９】この発明の一実施例を示す横向きブラシの使用例であり、（Ａ）は下顎の説明図、（Ｂ）は、上顎の説明図である。
【図１０】この発明の一実施例を示す横向きブラシの技術内容を示す説明図である。
【図１１】この発明の一実施例を示す横向きブラシの使用状態を示す説明図である。
【図１２】この発明の一実施例を示す横向きブラシの使用状態を示す説明図である。
【図１３】この発明の構成を説明するための臼歯部の歯冠長を示す説明図であって、（Ａ）は、噛み合わを示す説明図、（Ｂ）は、閉じた際の側面図である。
【符号の説明】
【００３２】
１  柄部
２  ヘッド
２′ヘッド
２ａ  ヘッドの下面
３  毛
３′毛
３ａ  毛の上面
３ａ′毛の上面
Ａ  弧状
Ａ′弧状
Ｂ  同心円の小さな曲率半径の円弧
Ｃ  ヘッドの横幅
Ｄ  握り部
Ｅ  首径部
Ｅ′首径部
Ｆ  傾斜部
Ｇ  凹部
Ｈ  第３ブリッスル
Ｉ  第４ブリッスル
Ｊ  角度線
Ｋ  起点
Ｐ  毛（３′）の適宜な幅寸法
Ｘ  柄部の軸芯
Ｙ  ヘッドの軸芯と上面との交点
【図１】
2005034393.tif 000003
【図２】
2005034393.tif 000004
【図３】
2005034393.tif 000005
【図４】
2005034393.tif 000006
【図５】
2005034393.tif 000007
【図６】
2005034393.tif 000008
【図７】
2005034393.tif 000009
【図８】
2005034393.tif 000010
【図９】
2005034393.tif 000011
【図１０】
2005034393.tif 000012
【図１１】
2005034393.tif 000013
【図１２】
2005034393.tif 000014
【図１３】
2005034393.tif 000015
【手続補正書】
【提出日】平成15年12月4日(2003.12.4)
【手続補正１】
【補正対象書類名】明細書
【補正対象項目名】００２８
【補正方法】変更
【補正の内容】
【００２８】
そして、該握り部（Ｄ）と首径部（Ｅ）との間に、２４°（±２．４°）のゆるやかな傾斜部（Ｆ）を設けたことにより、五本の指で握り部（Ｄ）を握っても、握りやすく、また、中指、薬指、小指で握り部（Ｄ）を握り、親指と人指し指とで傾斜部（Ｆ）を挟むよう握っても握りやすく構成したものである。
【手続補正書】
【提出日】平成15年12月17日(2003.12.17)
【手続補正１】
【補正対象書類名】特許請求の範囲
【補正対象項目名】全文
【補正方法】変更
【補正の内容】
【特許請求の範囲】
【請求項１】
歯ブラシの柄部とヘッドとが略Ｔ字状に形成され、かつ、ヘッドの毛の上面が、弧状にカットされてなる横向き歯ブラシにおいて、ヘッド（２）における毛（３）の上面（３ａ）形状を、柄部（１）の軸芯（Ｘ）と、ヘッド（２）の下面（２ａ）との交点、あるいは、柄部（１）の軸芯（Ｘ）とヘッド（２）の下面（２ａ）から毛（３）側に進む任意の平行線との交点（Ｙ）を中心として約１５ｍｍの曲率半径に、カットし、かつ、毛（３）の上面（３ａ）全体を、柄部（１）側に向けて傾斜した円弧状の上面（３ａ）に形成したことを特徴とするヘッドの横向き歯ブラシ。
【請求項２】
歯ブラシの柄部とヘッドとが略Ｔ字状に形成され、かつ、ヘッドの毛の上面が、柄部の軸芯を中心として弧状にカットされてなる横向き歯ブラシにおいて、ヘッド（２）の横幅（Ｃ）を、２０ｍｍ〜１５ｍｍ前後にしたことを特徴とするヘッドの横向き歯ブラシ。
【請求項３】
歯ブラシの柄部とヘッドとが略Ｔ字状に形成され、かつ、ヘッドの毛の上面が、柄部の軸芯を中心として弧状にカットされてなる横向き歯ブラシにおいて、ヘッド（２′）における毛（３′）の横幅（Ｃ）を、２０ｍｍ〜１５ｍｍ前後にし、かつ、弧状にカットされた毛（３′）の首径部（Ｅ′）側を、該弧状の曲率半径と同心円の小さな曲率半径の円弧（Ｂ）にし、前記毛（３′）の適宜な幅寸法位置（Ｐ）より、前記円弧（Ｂ）に向けて、毛（３′）の上面（３ａ）を緩やかにカットしたことを特徴とするヘッドの横向き歯ブラシ。
【請求項４】
歯ブラシの柄部とヘッドとが略Ｔ字状に形成され、かつ、ヘッドの毛の上面が、弧状にカットされてなる横向き歯ブラシにおいて、ヘッド（２）を含む柄部（１）の全長に対して、柄部（１）の末端から約半分程度までを、断面形状を略半円状の握り部（Ｄ）に形成し、かつ、柄部（１）のヘッド（２）の先端から適宜な長さを、適宜な径を有する円柱状として首径部（Ｅ）とし、該首径部（Ｅ）と前記柄部（１）とのゆるやかな曲線の傾斜部（Ｆ）を適宜に設け、かつ、前記首径部（Ｅ）であってヘッド（２）の手前に凹部（Ｇ）を形成したことを特徴とするヘッドの横向き歯ブラシ。
【手続補正２】
【補正対象書類名】明細書
【補正対象項目名】全文
【補正方法】変更
【補正の内容】
【発明の詳細な説明】
【技術分野】
【０００１】
この発明は、ヘッドの横向き歯ブラシの改良に関するものである。
【背景技術】
【０００２】
近年、歯は、人体のうち、口腔部はもとより消化器系だけでなく、人体のすべてにとって、重大な影響を与えるものであり、歯の大切さが認識されて来ており、そのため、歯を磨いたり、マッサージをする歯ブラシは、種々の歯ブラシが市販されている。
【０００３】
そして、一般的に公知の直線形状型歯ブラシは、歯面上に付着した食べ滓や歯間部に取り残しが多く見られる。そのため下顎前歯下部の歯石の沈着が多く見られる。又、その磨き方のテクニックにも様々な方法があり、歯科医師の中でも磨き方を指導する上で、混乱が生じているのが現状である。
【０００４】
ヘッドと柄と毛が一直線に配列されているため、に上下顎、最後臼歯の遠心部周辺は非常に磨き難い。従って歯石や食べ滓を充分に取り除くためには熟練と技術が必要とされ、上達するまでにはかなりの時間がかかるという欠点もある。
【０００５】
また、従来の直線状型の歯ブラシは、使用する際、手首を捩じったり、肘を上げたり等の多くの動作を必要とし、大人でもその手法は難しく、子供や高齢者、身体不自由者等には大変難しく簡単にマスター出来るものではなかった。
【０００６】
この一般的に公知の直線形状型歯ブラシは、全部の歯の面を１００％清潔にする・清掃する・汚れを取り除くには、人間工学的にも歯磨き時の姿勢が崩れやすく、子供や高齢者、身体不自由者等に至っては大変難しいものであり、磨いても磨けないのが現状である。そのため、磨きやすくする歯ブラシとして、その形状を柄部とヘッド部とが略Ｔ字状に形成された歯ブラシが存在する。（例えば、特許文献１参照。）
【特許文献１】実願２０００−７８０４号公報（全頁）
【０００７】
しかし、この特許文献１に示す考案は、Ｔ字型であり、植毛部がアーチ形状となっており、前歯部の裏側を磨くことができると主張しているが、柄に対して４５度〜９０度にひねってあるため、毛束は歯面の一部分しか接触することができず、効果的に刷掃できるものではない。また、アーチ状の最大の特徴である毛束が歯面にスクエアーに当るはずであるが、極、一部しか当たっておらず、刷掃効果は望めないものであった。
【発明の開示】
【発明が解決しようとする課題】
【０００８】
そこで、この発明は、  Ｔ字型又は毛の山型が過去、特許、実用新案、意匠等で出願・登録されており、制作もされているが、十分に使用しうるものとして完成されていないのは何故なのか、その理由に発明者、考案者らの主張には医学的、解剖学的、人間工学的、数的根拠が往々にして欠如していることが上げられる。
本願発明者は歯科医師の立場から実験した結果、様々な医学的、解剖学的、人間工学的、数的事実が判明させ、毛の山型を曲率半径１５ｍｍ（±１．５ｍｍ）に形成すること、その他にも数的根拠を実証し、実際に使いやすいＴ字型歯ブラシ，即ち、ヘッドの横向き歯ブラシを開発・提供するものである。
【０００９】
そして、さらに、ブラッシングした際、歯頚部付近の汚れがよく除去でき、かつ歯肉にも優しく、又、舌下腺があるため、口腔内で最も歯石の付きやすい下顎前歯部、舌側に歯石を付着させず、かつ、歯面部に付着した食べ滓や歯間部の取り残し等、全ての歯の刷掃が、誰でも簡単に出来る横向き歯ブラシと、歯ブラシの柄部を握り易い、丸型で太めの柄とし、ブラッシング時に必要な強・弱の力をしっかりと先端部に伝えることのできるヘッドの横向き歯ブラシを開発・提供することにある。
【課題を解決するための手段】
【００１０】
そこで、この発明は、従来のＴ字型の歯ブラシであって、毛の上面が円弧状にカットされた歯ブラシをさらに、下顎犬歯間の幅径や、口の大きさ、歯列弓直径を計測して工夫・改良することにより、歯頚部付近の歯滓の付着を防ぎ、歯石の沈着を防止し、且つ、歯面上及び歯間部に付着した食べ滓や歯垢の取り残し等、全ての歯の清掃が誰にでも簡単に出来、歯ブラシの柄部を握り易い、丸型で太めの柄とし、ブラッシング時に必要な強・弱の力をしっかりと先端部に伝えることのできる形状の柄を形成したヘッドの横向き歯ブラシである。
【発明の効果】
【００１１】
この発明によると、歯ブラシの柄部（１）とヘッド部（２）とが略Ｔ字状に形成され、かつ、ヘッド部（２）の毛（３）の上面（３ａ）が、弧状にカットされてなる横向き歯ブラシにおいて、ヘッド部（２）の毛（３ａ）の上面（３ａ）が、柄部（１）の軸芯（Ｘ）とヘッド部（２）の上面（２ａ）との交点（Ｙ）を芯として約１５ｍｍの半径上に、カットし、かつ、毛（３）の長さを、先端側を約１１ｍｍ（±１．１ｍｍ）、柄部（１）側を１ｍｍ少なく、毛（３）の上面（３ａ）全体を、傾斜した円弧状の上面（３ａ）に形成することにより、毛が歯面に強く当たり過ぎることがなく、歯面歯肉を傷めることなく、刷掃効果が上がり、歯ブラシの機能はより一層効率的となり、特に前歯部の裏面の刷掃効率が上がり、小児からハンディーキャッパーまで幅広い層の人の刷掃は楽に行える効果を有する。（図４参照）
また、ヘッド（２）の横幅（Ｃ）を２０ｍｍ〜１５ｍｍ前後にしたことにより、横磨きした時に、上下の歯牙を一度に磨ける効果を奏する。このことは、日本人における臼歯部の歯冠長の長さは、上下平均して１１．８ｍｍ〜９．００ｍｍであり、横磨きの時は口を閉じて行うものであり、上下の歯冠部は重なりあい、その距離はより短くなるからである。〔図１３（Ａ）、（Ｂ）を参照〕
縦磨きをする時、下口唇が邪魔となるため、ヘッド（２）の手前を、深さ１〜１．５ｍｍ削って、凹部（Ｇ）を形成することにより、該凹部（Ｇ）に下口唇が位置するよう下口唇が邪魔とならないようにして刷掃効率を高める等極めて有益なる効果を奏するものである。
【００１２】
また、柄部（１）を太くすることにより、毛先から柄部の湾曲移行部までに空間が生じ、前歯の縦磨きに際して口唇及びオトガイド部が干渉しないため、歯ブラシの動きが軽快になり、また、握持する握力も軽くなるので、均一な力で全歯面が軽快な動きとなる。つまり、運動が楽になるという効果を奏するものである。（図１１参照）
【発明を実施するための最良の形態】
【００１３】
この発明のうち、請求項１に記載した発明の一実施例を図１〜３に従って説明すると、歯ブラシの柄部とヘッドとが略Ｔ字状に形成され、かつ、ヘッドの毛の上面が、弧状にカットされてなる横向き歯ブラシにおいて、ヘッド（２）における毛（３）の上面（３ａ）形状を、柄部（１）の軸芯（Ｘ）と、ヘッド（２）の下面（２ａ）との交点、あるいは、柄部（１）の軸芯（Ｘ）とヘッド（２）の下面（２ａ）から毛（３）側に進む任意の平行線との交点（Ｙ）を中心として約１５ｍｍの曲率半径に、カットし、かつ、毛（３）の上面（３ａ）全体を、柄部（１）側に向けて傾斜した円弧状の上面（３ａ）に形成したことを特徴とするヘッドの横向き歯ブラシから構成されるものである。（図４参照）
日本人成人の正常咬合の場合、図７に示すように、下顎犬歯間の幅径の基準値として以下の数値が発表されている。
男＝２８．３ｍｍ  ２８．８ｍｍ
女＝２７．０ｍｍ  ２８．０ｍｍ
（桑原洋助氏  日矯歯誌  １９９３年「現代日本人成人正常咬合者の頭部Ｘ線規格写真および模型計測による基準値について」）
以上の結果からヘッドはそれ以下にすればよい。
【００１４】
本件特許出願人（発明者）は、歯科医であるが、その患者６０名の数値を調査したところ、以下の数値が最も使用に適していることが判明した。
大きな口の人：横２０ｍｍ（±２．０ｍｍ）縦１０ｍｍ（±１ｍｍ）
小さな口の人：横１５ｍｍ（±１．５ｍｍ）縦１０ｍｍ（±１ｍｍ）
従って、ヘッド（２）の横幅（Ｃ）を約２０ｍｍ〜１５ｍｍ前後にしたものである。
【００１５】
また、歯ブラシのヘッド（２）の形状は、長方形で各角部を丸くしたものや、両端部をそれぞれ、円弧状に形成したものであってもよい。そして、上記の大きさは正常咬合の日本人男性を対象としてものであり、日本人と体系の異なる人種に対しては、人種ごとの下顎犬歯間径の基準値に基づき歯ブラシの長さを変えることが望ましい。
【００１６】
さらに、歯列弓直径は、前記桑原洋助氏の計測によると、
男＝３３ｍｍ（±３ｍｍ）
女＝３２ｍｍ（±３ｍｍ）
と発表されている。そこで、本発明の発明者の医院に来院する患者６０名による実験の結果、図８に示すように、
曲率半径Ｒ＝１５ｍｍ（±１．５ｍｍ）
の円が最も使用に適した円弧であることが判明した。
【００１７】
以上の結果から毛（３）の上面（３ａ）は、図４に示すように、これに基づいて決定した。
【００１８】
さらに、下顎前歯舌側及び上顎前歯口蓋部の内斜面部から歯肉部に移行する部分は、図９に示すように、上顎左１２３、上顎右１２３、そして、下顎左１２３、下顎右１２３で浅い船底状を呈している。ここはＴ字型歯ブラシの刷掃時において毛（３）の首径部に最も近い毛（ブリッスル）が常時接触することになる。そこでこの毛先を丸みを帯びた角度を付与してやることで、歯や歯肉を痛めにくく、且つ、歯垢を効果的に取り除くことが可能となる。この角度は横幅２０ｍｍ〜１５ｍｍのもの双方に共通する角度となる。
【００１９】
次に、この発明のうち、請求項２に記載した発明の一実施例を図１に基づいて説明すると、歯ブラシの柄部とヘッドとが略Ｔ字状に形成され、かつ、ヘッドの毛の上面が、柄部の軸芯（Ｘ）を中心として弧状にカットされてなる横向き歯ブラシにおいて、ヘッド（２）の横幅（Ｃ）を約２０ｍｍ〜１５ｍｍにしたことを特徴とするヘッドの横向き歯ブラシから構成されるものである。
【００２０】
そして、この発明のうち、請求項３に記載した発明の一実施例を図５（ａ）（ｂ）に基づいて説明すると、歯ブラシの柄部とヘッドとが略Ｔ字状に形成され、かつ、ヘッドの毛の上面が、柄部の軸芯を中心として弧状にカットされてなる横向き歯ブラシにおいて、ヘッド（２′）における毛（３′）の横幅（Ｃ）を、２０ｍｍ〜１５ｍｍにし、かつ、弧状にカットされた毛（３′）の首径部（Ｅ′）側を、該弧状の曲率半径と同心円の小さな曲率半径の円弧（Ｂ）にし、前記毛（３′）の適宜な幅寸法位置（Ｐ）より、前記円弧（Ｂ）に向けて、毛（３′）の上面（３ａ′）を緩やかにカットしたことを特徴とするヘッドの横向き歯ブラシから構成される。
【００２１】
尚、前述の毛（３′）の上面（３ａ′）を緩やかにカットした状態を図６に示した拡大図で説明すると、毛（３′）の第３ブリッスル（Ｈ）より第４ブリッスル（Ｉ）にかけてゆるやかな角度（円状曲面でもよい）（Ｊ線）でカットされるものであり、第３ブリッスル（Ｈ）中央、若しくは中央より近位の任意の点を起点（Ｋ）としてαの角度が２０°程度である。
【００２２】
さらに、この発明のうち、請求項４に記載した発明の一実施例を図１〜４に従って説明すると、歯ブラシの柄部とヘッドとが略Ｔ字状に形成され、かつ、ヘッドの毛の上面が、弧状にカットされてなる横向き歯ブラシにおいて、ヘッド（２）を含む柄部（１）の全長に対して、柄部（１）の末端から半分程度までを、一辺が約１５ｍｍの角柱であって、該柱の上部の両角部を約４ｍｍのアールで、下部の両角部を約７ｍｍのアールでそれぞれ面取りした握り部（Ｄ）に形成し、かつ、柄部（１）のヘッド（２）の先端から約５５ｍｍを直径約６ｍｍの円柱状として首径部（Ｅ）とし、該首径部（Ｅ）と前記柄部（１）とのゆるやかな曲線の傾斜部（Ｆ）を設け、かつ、前記首径部（Ｅ）であってヘッド（２）の手前を、深さ１〜１．５ｍｍの凹部（Ｇ）を形成したことを特徴とするヘッドの横向き歯ブラシから構成されるものである。
【００２３】
さらに、図１０に示すように、鼻下点からオトガイ部までの長さは、日本人で約６０ｍｍであるから（男５７ｍｍ、女５５ｍｍ）、口唇及びオトガイ部が干渉しない距離は、図のようにヘッドの先から柄の湾曲部まで７０ｍｍあれば充分である。
【００２４】
そのため、図１１に示すように、６０ｍｍの長さがあれば、縦磨きの際、柄部（１）に空間が形成され、握り部（Ｄ）がオトガイ部に当たることなく、さらに、縦磨きの際に、上下移動するクリアランスを２０ｍｍ設け、８０ｍｍとしたものである。
【００２５】
このように、ヘッド（２）の横幅（Ｃ）を２０ｍｍ〜１５ｍｍとすることにより、図１２に示すように横磨きした時に、上下の歯牙を一度に磨ける効果を奏するからである。このことは、日本人における臼歯部の歯冠長の長さは、図１３に示すように、上下平均して１１．８ｍｍ〜９．００ｍｍであり、横磨きの時は口を閉じて行うものであり、上下の歯冠部は重なり合い、その距離はより短くなるからであり、約２０ｍｍとしたものである。      
【００２６】
尚、柄部（１）の全長に対して、柄部（１）の末端から半分程度までを、図３（ｂ）に示すように、一辺が１５ｍｍ程度の角柱であって、該柱の上部の両角部を４ｍｍ程度のアールで、下部の両角部を７ｍｍ程度のアールでそれぞれ面取りした握り部（Ｄ）に形成することにより、前歯の縦磨きに際して口唇及びオトガイド部が干渉しないため、歯ブラシの動きが軽快になり、また、握持する握力も軽くなるので、均一な力で全歯面が軽快な動きとなる。つまり、運動が楽になるという利点は、多大である。
【００２７】
さらに、柄部（１）の断面形状は、図３（Ｂ）に示すように、略半円形状となり、ベースグリップ（ベースボールのバットを握る状態の意）、又はパームグリップ（ゴルフシャフトを挟んで握る状態の意）方式で握ることが可能であり、柄部（１）の中心を軸にして左右方向に半回転させるだけでテクニックを要さない。従来の直線歯ブラシでは刷掃不可能な部分までブラッシングが可能となり、口腔内の健康維持の観点上、考慮したものである。
【００２８】
そして、該握り部（Ｄ）と首径部（Ｅ）との間に、２４°（±２．４°）のゆるやかな傾斜部（Ｆ）を設けたことにより、五本の指で握り部（Ｄ）を握っても、握りやすく、また、中指、薬指、小指で握り部（Ｄ）を握り、親指と人指し指とで傾斜部（Ｆ）を挟むよう握っても握りやすく構成したものである。
【００２９】
そもそも、人間の手は、丸いものを持つ機能が備わっている。しかし、現存の歯ブラシの柄は、殆どと言って良いくらい、平べったい柄となっており、この柄を握る時に手の中に空間が生じ密着していない。これは明らかに自然の法則に反しており、これでは充分な力をブラシの先に伝えることが出来なかった。そのため柄の部分を太くしたのである。
【産業上の利用可能性】
【００３０】
この発明は、従来のＴ字型の歯ブラシで、かつ、毛を弧状にカットした歯ブラシの改良であり、ブラッシングした際、歯頚部付近の汚れがよく除去でき、かつ歯肉にも優しく、又、舌下腺があるため、口腔内で最も歯石の付きやすい下顎前歯部、舌側に歯石を付着させず、かつ、歯面部に付着した食べ滓や歯間部の取り残し等、全ての歯の刷掃が、誰でも簡単に出来る横向き歯ブラシと、歯ブラシの柄部を握り易い、丸型で太めの柄とし、ブラッシング時に必要な強・弱の力をしっかりと先端部に伝えることのできるヘッドの横向き歯ブラシであって、以上の数値形態を入れることで量産が可能であり、義歯の清掃及び残存歯、口腔内の清掃に大変効果があり、特に総義歯を使用する場合、その毛の質をやわらかいものにすれば快適な清掃が出来、産業上の利用可能性を有する。
【図面の簡単な説明】
【００３１】
【図１】この発明の一実施例を示す横向きブラシの正面図である。
【図２】この発明の一実施例を示す横向きブラシの側面図である。
【図３】この発明の一実施例を示す横向きブラシであり、（Ａ）は、図１中ａ−ａ断面図、（Ｂ）は、図１  中ｂ−ｂ断面図、（Ｃ）は、図１中ｃ−ｃ断面図である。
【図４】この発明の一実施例を示し、（Ａ）は、横向きブラシのヘッドの拡大平面図であり、（Ｂ）は、横向きブラシのヘッドの拡大平面図であり、（Ｃ）は、横向きブラシのヘッドの一部欠截拡大平面図であり、（Ｄ）は、横向きブラシのヘッドの一部欠截拡大側面図である。
【図５】この発明の他の実施例を示す横向きブラシであって、（ａ）は一部欠截斜視図、（ｂ）は断面図である。
【図６】この発明の〔図５〕の拡大図である。
【図７】この発明の一実施例を示す横向きブラシの技術内容を説明する説明図である。
【図８】この発明の一実施例を示す横向きブラシの技術内容を説明する説明図である。
【図９】この発明の一実施例を示す横向きブラシの使用例であり、（Ａ）は下顎の説明図、（Ｂ）は、上顎の説明図である。
【図１０】この発明の一実施例を示す横向きブラシの技術内容を示す説明図である。
【図１１】この発明の一実施例を示す横向きブラシの使用状態を示す説明図である。
【図１２】この発明の一実施例を示す横向きブラシの使用状態を示す説明図である。
【図１３】この発明の構成を説明するための臼歯部の歯冠長を示す説明図であって、（Ａ）は、噛み合わを示す説明図、（Ｂ）は、閉じた際の側面図である。
【符号の説明】
【００３２】
１  柄部
２  ヘッド
２′ヘッド
２ａ  ヘッドの下面
３  毛
３′毛
３ａ  毛の上面
３ａ′毛の上面
Ａ  弧状
Ａ′弧状
Ｂ  同心円の小さな曲率半径の円弧
Ｃ  ヘッドの横幅
Ｄ  握り部
Ｅ  首径部
Ｅ′首径部
Ｆ  傾斜部
Ｇ  凹部
Ｈ  第３ブリッスル
Ｉ  第４ブリッスル
Ｊ  角度線
Ｋ  起点
Ｐ  毛（３′）の適宜な幅寸法
Ｘ  柄部の軸芯
Ｙ  ヘッドの軸芯と上面との交点